(57)【要約】      （修正有）【課題】果実収容部に収容された隣接する果実同士の接触を回避するとともに、果実収容部に簡単に果実を収容し、これを保持することができる果実用トレーを提供する。【解決手段】果実を収容するための複数の果実収容部１２が形成された果実用トレーである。果実収容部１２には、前記果実を収容するための収容壁１３が形成されている。収容壁１３には、隣接する各果実収容部１２との境界から突出するように隔壁部１６が形成されている。さらに、収容壁１３には、各隔壁部１６を含む収容壁１３の部分である分割壁部１３ａが周方向に伸縮するように、果実収容部１２の底部１２ａから各隔壁部１３，１３同士の間に亘って凹溝部１８が形成されている。【選択図】図３
0003181309.tif 000002
【実用新案登録請求の範囲】
【請求項１】
果実を収容するための複数の果実収容部が形成された果実用トレーであって、
果実収容部には、前記果実を収容するための収容壁が形成されており、
該収容壁には、隣接する各果実収容部との境界から突出するように隔壁部が形成されるとともに、
各隔壁部を含む収容壁の部分が周方向に伸縮するように、前記果実収容部の底部から各隔壁部同士の間に亘って凹部が形成されていることを特徴とする果実用トレー。
【請求項２】
前記隔壁部の頂部は、前記果実の最大外周部よりも高い位置に形成されており、前記隔壁部の基端部は、前記最大外周部よりも低い位置に形成されていることを特徴とする請求項１に記載の果実用トレー。
【請求項３】
前記果実収容部の周りには、等間隔に６つの前記果実収容部が形成されていることを特徴とする請求項１または２に記載の果実用トレー。
【考案の詳細な説明】
【技術分野】
【０００１】
本考案は、リンゴ、梨、桃等の各種果実の収穫、選別、出荷、輸送等に用いる果実用トレー、特には果実収穫用として好適な果実用トレーに関するものである。
【背景技術】
【０００２】
従来から、各種の果実の収穫、選別、出荷、輸送用においては、果実の取り扱いを容易にするとともに、果実同士の接触や他物との接触による損傷を防止し保護する目的で、合成樹脂発泡シートやパルプモールド等の適度の弾力性を有する素材を用いて、果実を個装状態に収容保持できる複数の果実収容部を形成したトレーが使用されている。
【０００３】
ところで、トレーに収容される果実は、その種類によって大きさや形状が異なり、また、同一種の果実でも大きさや形状にバラつきがある。特に、収穫時に収容される果実の大きさや形状のバラつきの範囲が大きくなる。そのため、この種の果実用トレーにおいては、収容対象の果実の大きさや形状の差異により、果実を果実用トレーに収容した際に果実同士の接触を回避することが望まれている。
【０００４】
このような果実用トレーの一例として、果実収容部が複数連設されており、各果実収容部が隣接する境界部に、隔壁を一体に立設しており、果実収容部の側壁に溝部が形成された果実用トレーが提案されている（たとえば、特許文献１参照）。このような果実用トレーによれば、隣接する果実収容部に収容された果実同士の間には、隔壁が立設されているので、隣接する果実同士の接触を回避することができる。
【先行技術文献】
【特許文献】
【０００５】
【特許文献１】実開昭６２−３１０８４号公報
【考案の概要】
【考案が解決しようとする課題】
【０００６】
しかしながら、特許文献１に記載のトレーでは、果実収容部の側壁の高さ方向に沿って溝部が設けられているものの、この溝部は補強用のリブとして作用しており、果実収容部は、周方向に伸縮自在とはなっていない。このため、果実の大きさや形状のバラつきにより、果実を果実収容部に収容し難いこともあった。特に、果実が大きい場合には、果実収容部の底部から果実が浮き上がった状態となり、上述した隔壁を設けたとしても、果実同士が接触するおそれがあった。
【０００７】
このような点を鑑みると、果実の大きさよりもやや大きい果実収容部を設けることが好ましいとも考えられる。しかしながら、このような果実収容部に果実を収容した場合、果実の大きさによっては、果実収容部の側壁で果実を保持することが難しいことがある。
【０００８】
本考案は、このような点を鑑みてなされたものであり、その目的とするところは、果実収容部に収容された隣接する果実同士の接触を回避するとともに、果実収容部に簡単に果実を収容し、これを保持することができる果実用トレーを提供することにある。
【課題を解決するための手段】
【０００９】
前記課題を解決すべく、本考案に係る果実用トレーは、果実を収容するための複数の果実収容部が形成された果実用トレーであって、果実収容部には、前記果実を収容するための収容壁が形成されており、該収容壁には、隣接する各果実収容部との境界から突出するように隔壁部が形成されるとともに、各隔壁部を含む収容壁の部分が周方向に伸縮するように、前記果実収容部の底部から各隔壁部同士の間に亘って凹部が形成されていることを特徴とする。
【００１０】
本考案によれば、果実を収容するために形成された収容壁には、隣接する各果実収容部との境界から突出する隔壁部が形成されているので、隣接する果実収容部に収容された果実同士の間には、隔壁部が存在することになる。これにより、果実収容部に収容された果実同士の直接的な接触を回避することができる。このような結果、果実同士の当たり傷の発生を回避することができる。
【００１１】
さらに、果実収容部の底部から各隔壁部同士の間に亘って凹部が形成されているので、果実収容部に果実を収容する際には、各隔壁部を含む収容壁の部分が独立して周方向に伸縮することになる。これにより、果実を果実収容部に容易に収容することができる。さらに、収容時に、各隔壁部を含む収容壁の部分が一端開いたとしても、これらが収縮するので、果実収容部の収容壁により果実を保持することができる。特に、このような凹部を設けたことにより、果実表面に対する果実収容部の収容壁の接触面積を大きくとることができ、果実の保持性をより高めることができる。
【００１２】
さらに好ましい態様としては、前記隔壁部の頂部は、前記果実の最大外周部よりも高い位置に形成されており、前記隔壁部の基端部は、前記最大外周部よりも低い位置に形成されている。
【００１３】
この態様によれば、隔壁部の頂部は、前記果実の最大外周部よりも高い位置に形成されているので、隣接する果実同士の最大外周部の接触を回避することができる。一方、隔壁部の基端部は、前記最大外周部よりも低い位置に形成されているので、果実を果実収容部に収容し易くなる。
【００１４】
さらに、好ましい態様としては、前記果実収容部の周りには、等間隔に６つの前記果実収容部が形成されている。この態様によれば、最密な状態で果実を果実用トレーに収容することができるばかりでなく、独立して周方向に伸縮する、隔壁部を含む収容壁の部分が６つになるため、果実収容部を果実の形状に合わせた球状に近い空間にすることができる。これにより、果実収容部への果実の収容性および保持性を高めることができる。
【考案の効果】
【００１５】
本考案に係る梱包材によれば、果実収容部に収容された隣接する果実同士の接触を回避するとともに、果実収容部に簡単に果実を収容し、これを保持することができる。
【図面の簡単な説明】
【００１６】
【図１】本考案の実施形態に係る果実用トレーの模式的斜視図。
【図２】図１に示す果実用トレーの平面図。
【図３】図２に示すＡ−Ａ線矢視断面斜視図。
【図４】図１に示す果実用トレーの凹部を含む収容壁の断面図。
【図５】図１に示す果実用トレーに果実を収容した状態を説明するための図。
【考案を実施するための形態】
【００１７】
以下に、本考案の実施の形態を図面を参照しながら説明する。
【００１８】
図１は、本考案の実施形態に係る果実用トレーの模式的斜視図であり、図２は、図１に示す果実用トレーの正面図であり、図３は、図２に示すＡ−Ａ線矢視断面斜視図である。図４は、図１に示す果実用トレーの凹部を含む収容壁の断面図である。図５は、図１に示す果実用トレーに果実を収容した状態を説明するための図である。
【００１９】
本実施形態に係る果実用トレー１は、果物などの球状の被梱包物を複数収容するためのトレーである。果実用トレー１の構成素材としては、たとえば合成樹脂発泡シートが用いられ、合成樹脂発泡シートとしては、ポリプロピレンやポリエチレン等のポリオレフィン系樹脂、ポリエステル系樹脂、ポリスチレン系樹脂、ポリ塩化ビニル系樹脂その他の適度の弾力性を有しかつ保形強度のある各種の合成樹脂発泡シート、あるいはこれらの合成樹脂発泡シートの片面もしくは両面に非発泡樹脂をラミネートした合成樹脂発泡シートが用いられる。
【００２０】
中でも、剛性と柔軟性のバランスがよく緩衝性に優れ、かつ強度があって保形、復元性、成形性にも優れるポリエチレン系樹脂の発泡シートが好ましく用いられる。すなわち、この発泡シートであると、果実の収容により後述する収容壁が変形しても、果実が取り出されると、漸次元の形状に回復し繰り返し使用できる。そのため、収穫用トレーとして繰り返し使用するのに適するものとなる。
【００２１】
合成樹脂発泡シートの厚みは、使用素材によっても異なるが、ポリエチレン系樹脂発泡シートの場合、１．０〜８．０ｍｍ程度、好ましくは２．０〜５．０ｍｍ程度であり、密度が０．０６〜０．０３ｇ／ｃｍ３程度に発泡しているものが好ましい。発泡シートの厚みが前記より小さくなると、充分な支持強度が得られなくなり、また厚みが前記より大きくなると、発泡シートからの成形が困難になる上に嵩高になる。また、発泡による密度が、前記範囲より大きいと、充分な緩衝性が得られないし、使用樹脂量も多く不経済であり、また密度が前記範囲より小さいと、強度上問題がある。果実用トレー１は、適度の弾力性及び保形性を有する上述した熱可塑性の合成樹脂発泡シートから真空成形、圧空成形等の熱成形加工の手段により一体に成形されてなる。
【００２２】
果実用トレー１には、トレー外周縁部１１と、トレー外周縁部１１の内方において所定の間隔で配列された複数の果実収容部１２，１２，…とが形成されている。トレー外周縁部１１の高さは、後述する果実収容部１２の隔壁部１６の頂部と略同じ高さとなっている。これにより、トレー外周縁部１１から、隔壁部１６が飛び出した形状とならないので、隔壁部１６が押し潰されにくくなり、隔壁部１６を保護することができる。
【００２３】
果実用トレー１の果実収容部１２の周りには、等間隔に６つの前記果実収容部１２，１２，…形成されている。果実収容部１２には、果実を収容するための収容壁１３が形成されている。収容壁１３は、収容すべき果実の形状に応じて湾曲しており、果実収容部１２の底部１２ａから上方に向かって広がるように傾斜している。収容壁１３をこのような形状とすることにより、果実収容部１２に収容される果実を周囲から弾力的に保持することができる。
【００２４】
また、果実収容部１２の底部１２ａの中央には、円板状に突出した突起部１４が形成されている。突起部１４を設けることにより、果実のへた側が果実収容部１２の突起部１４以外の底面に密着しにくくなり、通気性が確保されると共に、突起部１４が緩衝機能を奏するので、果実に対する緩衝効果を高めることができる。
【００２５】
また、収容壁１３には、隣接する各果実収容部１２または果実用トレー１の外部との境界から突出するように隔壁部１６が形成されている。隔壁部１６は、上方に向かって山状に突出した壁部であり、収容壁１３の一部として一体的に構成されている。本実施形態にかかる果実用トレー１の場合には、１つの果実収容部１２の周りに、等間隔に６つの果実収容部１２，１２，…形成されているので、１つの果実収容部１２に対して６つの隔壁部１６が形成されることになる。
【００２６】
さらに、収容壁１３には、各隔壁部１６を含む収容壁１３の部分が独立して周方向に伸縮するように、果実収容部１２の底部から各隔壁部１６同士の間に亘って凹溝部１８が形成されている。すなわち、実施形態では、凹溝部１８により、収容壁１３のうち果実と接触する壁部が、６つの分割壁部１３ａ，１３ａ，…に区画され、この分割壁部１３ａが、考案でいうところの「隔壁部１６を含む収容壁１３の部分」に相当する。
【００２７】
このように、本実施形態では、凹溝部１８により収容壁１３を６つの分割壁部１３ａ，１３ａ，…に区画され、これらの分割壁部同士１３ａ，１３ａの間には、これらに連続して凹溝部１８が形成されることになる。このような構造を採用することにより、図４に示すように、凹溝部１８を開くように周方向に荷重を加えることにより、凹溝部１８が変形し、分割壁部１３ａ，１３ａ同士が独立して周方向に伸展する（図の矢印参照）。一方、上述した荷重を除荷することにより、分割壁部１３ａ，１３ａ同士が復元力により元の状態に収縮することになる。
【００２８】
ここで、隔壁部１６の頂部１６ａから基端部１６ｂまでの高さは、１０ｍｍ以上にすることにより果実Ｆの最大外周部Ｌ付近が伸縮しやすくなる。
【００２９】
上述した果実用トレー１を用いて果実を収容する。実施形態に果実用トレー１は、果実収容部１２の底部１２ａから各隔壁部１６，１６同士の間に亘って凹溝部１８が形成されているので、果実収容部１２に果実Ｆを収容する際には、分割壁部１３ａ，１３ａが独立して周方向に伸縮することになる。これにより、果実を果実収容部１２に容易に収容することができる。さらに、収容時に、分割壁部１３ａ，１３ａが一端開いたとしても、収容後には元の状態に収縮するので、果実収容部１２の収容壁１３により果実Ｆを保持することができる。
【００３０】
特に、果実収容部１２の周りには、等間隔に６つの果実収容部１２，１２…が形成されているので、最密な状態で果実を果実用トレーに収容することができるばかりでなく、独立して周方向に伸縮する分割壁部１３ａが６つになるため、果実収容部１２を果実Ｆの形状に合わせた球状に近い空間にすることができる。これにより、果実収容部１２への果実の収容性および保持性を高めることができる。
【００３１】
さらに、図５に示すように、本実施形態では、隔壁部１６の頂部１６ａは、果実Ｆの最大外周部Ｌよりも高い位置に形成されており、隔壁部１６の基端部１６ｂは、果実Ｆの最大外周部Ｌよりも低い位置に形成されている。これにより、隔壁部１６の頂部１６ａは、果実Ｆの最大外周部Ｌよりも高い位置に形成されているので、隣接する果実Ｆ同士の最大外周部Ｌの接触を回避することができる。一方、隔壁部１６の基端部１６ｂは、最大外周部Ｌよりも低い位置に形成されているので、果実Ｆを果実収容部１２に収容し易くなる。
【００３２】
以上、本考案の実施形態について詳述したが、本考案は、前記の実施形態に限定されるものではなく、登録実用新案請求の範囲に記載された本考案の精神を逸脱しない範囲で、種々の設計変更を行うことができるものである。
【００３３】
たとえば、本実施形態では、果実収容部の底部から各隔壁部同士の間に亘って凹溝部を設けたが、分割壁部（各隔壁部を含む収容壁の部分）が周方向に伸縮自在な構造であるのであれば、溝形状に限定されるものではない。
【産業上の利用可能性】
【００３４】
本考案の果実用トレーは、リンゴ、梨、桃等の各種果実の収穫、選別、出荷、輸送等に用いる果実用トレー、特には果実収穫用として好適に利用できる。
【符号の説明】
【００３５】
１…果実用トレー、１１…トレー外周縁部、１２…果実収容部、１２ａ…底部、１３…収容壁、１３ａ…分割壁部、１４…突起部、１６…隔壁部、１６ａ…頂部、１６ｂ…基端部、１８…凹溝部（凹部）、Ｆ…果実
【図１】
0003181309.tif 000003
【図２】
0003181309.tif 000004
【図３】
0003181309.tif 000005
【図４】
0003181309.tif 000006
【図５】
0003181309.tif 000007